(57)【要約】【課題】スクラップの搬送を自動運転で行なった場合でも、固定物との干渉を回避しつつ、短時間での搬送を実現することが可能なクレーン設備およびクレーン設備の制御方法を提供する。【解決手段】クレーン設備１は、スクラップヤードＹ内に堆積させたスクラップの一部を被搬送物としてフック１８で吊り上げて搬送するクレーン１０と、クレーン１０の稼働領域内に設定された測定位置における固定物の高さを検出する第１センサ３０と、クレーンの動作を制御する制御部４６と、を備え、制御部４６は、第１センサ３０からの出力に基づいて、高さマップ情報を作成する高さマップ情報作成手段４７と、高さマップ情報に基づいて、クレーン１０の搬送条件を決定する搬送条件決定手段４９と、を有する。【選択図】        図２
2019210093.tif 000002
【特許請求の範囲】
【請求項１】
所定の走行方向に移動可能な桁部と、該走行方向と直交する横行方向に移動可能なトロリと、該トロリに昇降可能に懸吊されたフックと、を備え、スクラップヤード内に堆積させたスクラップの一部を、被搬送物として前記フックで吊り上げて搬送するクレーンと、
前記クレーンの稼働領域内に設定された測定位置における固定物の高さを検出する第１センサと、
前記クレーンの動作を制御する制御部と、を備え、
該制御部が、
前記第１センサからの出力に基づいて、高さマップ情報を作成する高さマップ情報作成手段と、
該高さマップ情報に基づいて、前記クレーンの搬送条件を決定する搬送条件決定手段と、
を有することを特徴とするクレーン設備。
【請求項２】
前記第１センサは、前記横行方向に沿って、前記桁部に複数配置されており、
前記高さマップ情報作成手段は、クレーン走行時に取得される前記第１センサからの出力に基づいて前記高さマップ情報を作成するように構成されていることを特徴とする請求項１に記載のクレーン設備。
【請求項３】
前記フックにより搬送される前記被搬送物の下端高さを検出する第２センサを、更に有することを特徴とする請求項１，２の何れかに記載のクレーン設備。
【請求項４】
前記フックで搬送される前記被搬送物の荷姿を検出する第３センサを、更に有することを特徴とする請求項１，２の何れかに記載のクレーン設備。
【請求項５】
前記搬送条件決定手段において決定される搬送条件が、搬送ルート、走行速度、横行速度、昇降高さおよび昇降速度であることを特徴とする請求項１〜４の何れかに記載のクレーン設備。
【請求項６】
請求項１〜５に記載のクレーン設備の制御方法であって
前記高さマップ情報に基づいて、前記フックで吊られた被搬送物が前記固定物と干渉しないように、前記クレーンの走行・横行・昇降の各動作を制御することを特徴とするクレーン設備の制御方法。
【請求項７】
前記クレーンの走行動作および／又は横行動作を、昇降動作と同時に行うことを特徴とする請求項６に記載のクレーン設備の制御方法。
【発明の詳細な説明】
【技術分野】
【０００１】
この発明は、スクラップヤードで稼働するクレーン設備およびその制御方法に関する。
【背景技術】
【０００２】
製鋼会社において、電気炉の原材料として用いられるスクラップは、トラック等で搬入される。搬入されたスクラップは、クレーンを用いて、工場内の予め定められたスクラップヤード内に積み上げられて保管される。そして、スクラップヤード内に保管されたスクラップを払い出す際、スクラップはクレーンを用いて一旦、装入バケットに搬送・収容され、その後、装入バケットごと電気炉に送られる。
【０００３】
スクラップヤード内には、性状の異なる複数種類のスクラップ堆積物がそれぞれ山状に積み上げられており、その配置や高さは、各スクラップごとの受入れおよび払い出しの状況に応じて変化する。
このため、スクラップの払い出し作業は、従来、堆積物の配置や高さを確認しながら手動運転により実施されていた。クレーンの動作は、基本的に巻上げ、走行（横行）、巻下げである。手動運転においては、クレーン運転手が周囲の状況を目視で判断し、必要最低限の量だけ巻上げながら、同時に走行（および横行）動作を実施することで、スクラップ堆積物との干渉を回避しつつ、搬送時間の短縮化が図られていた。
【０００４】
一方で、下記特許文献１に記載されているように、スクラップの払い出し作業を自動運転で行う場合もある。しかしながら、自動運転の場合、スクラップ堆積物との干渉を避けるため、まず巻上げ高さの上限まで巻上げ動作を行ない、その後にクレーンの走行（および横行）動作を行なっていたため、巻上げ作業に多大な時間を要することとなり、その結果、搬送時間が長くなってしまう問題があった。
【先行技術文献】
【特許文献】
【０００５】
【特許文献１】特開平８−１５７０７１号公報
【発明の概要】
【発明が解決しようとする課題】
【０００６】
本発明は以上のような事情を背景とし、スクラップの搬送を自動運転で行なった場合でも、固定物との干渉を回避しつつ、短時間での搬送を実現することが可能なクレーン設備およびクレーン設備の制御方法を提供することを目的としてなされたものである。
【課題を解決するための手段】
【０００７】
而して本発明のクレーン設備は、所定の走行方向に移動可能な桁部と、該走行方向と直交する横行方向に移動可能なトロリと、該トロリに昇降可能に懸吊されたフックと、を備え、スクラップヤード内に堆積させたスクラップの一部を、被搬送物として前記フックで吊り上げて搬送するクレーンと、
前記クレーンの稼働領域内に設定された測定位置における固定物の高さを検出する第１センサと、
前記クレーンの動作を制御する制御部と、を備え、
該制御部が、前記第１センサからの出力に基づいて、高さマップ情報を作成する高さマップ情報作成手段と、該高さマップ情報に基づいて、前記クレーンの搬送条件を決定する搬送条件決定手段と、を有することを特徴とする。
【０００８】
本発明のクレーン設備では、第１センサからの出力に基づいて、クレーン稼働領域内にある固定物についての高さマップ情報が作成され、この高さマップ情報に基づいて、搬送条件決定手段により好適な搬送条件が決定されるため、スクラップの搬送を自動運転で行なった場合でも、固定物との干渉を回避しつつ、短時間での搬送を実現することができる。
【０００９】
ここで本発明では、搬送条件決定手段において決定される搬送条件を、搬送ルート、走行速度、横行速度、昇降高さおよび昇降速度とすることができる。
【００１０】
本発明では、前記第１センサを、前記横行方向に沿って、前記桁部に複数配置し、
前記高さマップ情報作成手段において、クレーン走行時に取得される前記第１センサからの出力に基づいて前記高さマップ情報を作成するように構成することができる。
【００１１】
固定物の高さを検出する第１センサは、例えば建屋の構造物に取付固定することも可能であるが、その場合、測定位置の数と同数の第１センサが必要となってしまう。これに対し、第１センサをクレーンの桁部に配置して、クレーン走行時に第１センサも移動するように構成すれば、走行方向にセンサの共通化が図られ、第１センサの数を大幅に削減することができる。
【００１２】
本発明ではまた、前記フックにより搬送される前記被搬送物の下端高さを検出する第２センサを、更に設けておくことができる。
搬送中において、固定物と干渉するのは、主に被搬送物の下端部分である。被搬送物の下端高さは、ある程度予想できるものの、実際の搬送物の下端高さを検出することで、搬送条件決定手段で決定される搬送条件の信頼性を高めることができる。
【００１３】
また場合によっては、前記第２センサの代わりに、前記被搬送物の荷姿を検出する第３センサを設けておくことも可能である。被搬送物の下端部分だけでなく、被搬送物の側面部分での干渉も懸念される場合に有効である。
【００１４】
本発明のクレーン設備の制御方法は、前記高さマップ情報に基づいて、前記フックで吊られた被搬送物が前記固定物と干渉しないように、前記クレーンの走行・横行・昇降の各動作を制御することを特徴とする。
この制御方法によれば、スクラップの搬送を自動運転で行なった場合でも、固定物との干渉を回避しつつ、短時間での搬送を実現することができる。ここで、前記クレーンの走行動作および／又は横行動作は、昇降動作と同時に行うようにすることが望ましい。
【図面の簡単な説明】
【００１５】
【図１】本発明の一実施形態のクレーン設備をスクラップヤード等の周辺部とともに示した図である。
【図２】図１のクレーン設備の側面図である。
【図３】同クレーン設備の電気系統のブロック図である。
【図４】高さマップ情報作成手段についての説明図である。
【図５】高さマップ情報の一例を示した図である。
【図６】搬送条件決定手段についての説明図である。
【図７】図６に続く搬送条件決定手段についての説明図である。
【図８】本発明の他の実施形態を示した図である。
【図９】本発明の更に他の実施形態を示した図である。
【発明を実施するための形態】
【００１６】
次に本発明の一実施形態のクレーン設備を図面に基づいて詳しく説明する。
図１において、Ｙは、電気炉の原材料として用いられるスクラップを貯蔵・保管するスクラップヤードで、仕切り壁８によって囲まれている。１０は、スクラップの受入れおよび払い出しの際に用いられる天井クレーンで、クレーン設備１の主要部を構成する。本例のクレーン設備１は、この天井クレーン１０のほか、後述する第１センサ３０および制御部４６を含んで構成されている。
【００１７】
Ｍは、スクラップの受入スペースである。スクラップ受入れの際には、受入スペースＭに駐車した車両５４の荷台５６から、天井クレーン１０を用いてスクラップを吊り上げて、スクラップヤードＹ内の所定の位置に搬送する。なお、スクラップヤードＹ内には、通常、性状の異なる複数種類のスクラップが保管される。このため、スクラップの種別ごとにスクラップヤードＹ内での保管位置が定められており、受入れされたスクラップは、同種のスクラップがすでに保管されている位置もしくはその近傍に積み上げられる。
【００１８】
スクラップヤードＹの、受入スペースＭとは反対側には、貯留ホッパＨが配置されている。スクラップヤードＹ内に保管されているスクラップが払い出される際、スクラップは、天井クレーン１０を用いて、一旦、貯留ホッパＨに払い出される。貯留ホッパＨの下方には、スクラップを電気炉に搬送するための装入バケット（図示省略）が待機しており、貯留ホッパＨの底が開くことで、貯留ホッパＨの内部に収容されていたスクラップが装入バケット内に移載される。このように天井クレーン１０は、スクラップの受入れおよび払い出しに用いられる。
【００１９】
天井クレーン１０は、スクラップヤードＹの上方に位置し、図２に示すように、建屋１１の幅方向に架け渡された桁部１２と、桁部１２上を横行するトロリ１４と、ワイヤーロープ１６を介してトロリ１４に懸吊されたフック１８と、フック１８に懸吊されたリフティングマグネット（以下、リフマグと称する場合がある）２０と、を備えている。
【００２０】
桁部１２は、横行するトロリ１４の荷重を受ける一対の主桁２２，２２と、これら主桁２２の長手方向の両端部に一体に接合されたサドル部２４とを備えている。サドル部２４は車輪２８を有し、この車輪２８は走行用駆動装置２５からの駆動力により回転可能に構成されている、これにより桁部１２は、建屋１１の両側の壁に沿って設けられた走行用レール２６上を、走行方向（図１参照）に移動可能とされている。天井クレーン１０における稼働領域は、スクラップヤードＹ、受入スペースＭおよび貯留ホッパＨを含んでいる。
【００２１】
本例では、一対の主桁２２，２２の外側面に、横行方向に沿って等間隔に第１センサ３０が複数取り付けられている。この第１センサ３０は、その下方に位置するスクラップ堆積物等の固定物の高さを検出する。第１センサ３０としては、例えば、発光部および受光部を備えた光反射型のセンサ等を用いることができる。
【００２２】
トロリ１４は、車輪３２付きの台車３３と、台車３３上に載置された横行用駆動装置３５および昇降装置３７で構成されている。横行用駆動装置３５は横行用モータ３５ａを有し、その駆動力を車輪３２に伝達し、車輪３２を回転させる。これによりトロリ１４は、桁部１２の上面に設けられた横行用レール２３上を横行方向に移動可能とされている。
一方、昇降装置３７は、昇降用モータ３７ａおよび電磁ブレーキ３７ｂを備え、ワイヤーロープ１６を介して、ワイヤーロープ１６に懸吊されたフック１８を昇降させ、また任意の位置で停止させる。
【００２３】
フック１８に懸吊されたリフマグ２０は、内部に電磁石が埋設されており、給電装置４０を介しての給電により、磁力を発生させてスクラップを吸着する。リフマグ２０の磁力は段階的に調節可能とされており、リフマグ２０により吸着可能なスクラップの量を調整することができる。
【００２４】
天井クレーン１０は、位置検出手段として、桁部１２の走行位置を検出する走行位置検出センサ４２、トロリ１４の横行位置を検出する横行位置検出センサ４３、フック１８の昇降高さを検出する昇降高さ検出センサ４４、を備えている。図３に矢印で示すように、これらセンサからの信号は制御部４６に入力され、現在のフック１８の位置を特定することができるように構成されている。本例では、これらセンサ４２，４３，４４として、光学式の測距センサを用いているが、これに代わる位置検出手段としてロータリーエンコーダ等を採用することも可能である。
なお、図３に示す制御部４６には、上記のセンサ４２，４３，４４のほか、第１センサ３０や操作部５０がそれぞれ接続されている。
【００２５】
制御部４６は、ＣＰＵ、ＲＯＭ、ＲＡＭ、記憶部等を含んで構成され、記憶部に記憶された制御プログラムをＣＰＵなどのプロセッサが実行する。そして、各種センサからの信号や操作部５０から操作信号に基づいて演算処理をおこない、駆動装置等に信号を出力して天井クレーン１０の動作を制御する。
【００２６】
制御部４６には、走行用駆動装置２５を構成する走行用モータ２５ａや、横行用駆動装置３５を構成する横行用モータ３５ａ、昇降装置３７を構成する昇降用モータ３７ａおよび電磁ブレーキ３７ｂ、リフマグ２０に励磁用の電力を供給する給電装置４０が接続されている。
【００２７】
更に、制御部４６は、高さマップ情報作成手段４７と搬送条件決定手段４９を有している。
【００２８】
高さマップ情報作成手段４７では、クレーン稼働領域内（ここではスクラップヤードＹ内）に設定された測定位置Ｐでの固定物（ここではスクラップ堆積物）の高さ分布を示すマップ情報を作成する。
具体的には、図４（Ａ）に示すように、予めスクラップヤードＹ内の領域を走行方向、等間隔に区画して、スクラップ堆積物の高さを測定する走行方向の位置Ｌ（Ｌ1，Ｌ2・・Ｌn）を設定しておく。そして、例えば始業時に１回、天井クレーン１０をＬ1からＬnに亘って移動させ、各走行方向の位置Ｌ1，Ｌ2・・Ｌnに到達した際の第１センサ３０の出力値を、各測定位置Ｐでの高さ情報として順次取り込む。このようにすることで、図４（Ｂ）で示すように、走行方向の位置Ｌと走行方向に移動する第１センサ３０との交点（すなわち測定位置Ｐ）で、スクラップ堆積物の高さに関する情報を得ることができる。得られた高さ情報は、各測定位置Ｐの位置情報と関連付けて高さマップデータとして記憶部に記録される。
【００２９】
図５は、得られた高さマップ情報の一例である。このようにスクラップヤードＹ内の固定物、具体的にはスクラップ堆積物の高さ分布を認識することができる。
なお、第１センサ３０の取付ピッチや走行方向の位置Ｌのピッチを狭めて、測定位置Ｐを増やすことで、高さマップ情報の精度を高めることができる。各測定位置Ｐ間ピッチは、適宜設定可能であるが、スクラップを吸着するリフマグ２０の外形寸法よりも小さくすることが望ましい。
【００３０】
高さマップ情報作成手段４７では、データの更新頻度を高めて、現状の高さ分布をマップ情報に反映させることが重要である。本例では、クレーン１０が走行し、第１センサ３０が測定位置Ｐを通過するたびに、かかる測定位置Ｐに対応する高さ情報を更新する。
また本例では、図１に示すように、リフマグ２０の走行方法の両側にそれぞれ第１センサ３０が設けられているため、例えば、スクラップ堆積物の一部を吸着したことにより、堆積物の高さが変動した場合、その後クレーン１０が走行方向に移動すれば、何れかの第１センサ３０にて吸着直後のスクラップ堆積物の高さを求めることができる利点がある。
【００３１】
次に搬送条件決定手段４９について説明する。
搬送条件決定手段４９では、高さマップ情報作成手段４７で得られた高さマップ情報を利用して、搬送条件（具体的には、クレーン１０の搬送ルート、走行速度、横行速度、昇降高さおよび昇降速度）を決定する。
【００３２】
ここでは、スクラップヤードＹ内に保管されているスクラップの一部を、貯留ホッパＨに向けて払い出す作業を例に説明する。
搬送条件決定の前提条件として、（１）搬送開始位置（すなわち、対象スクラップを吸着する位置）と、搬送終了位置（ここでは貯留ホッパＨの直上位置）とを平面視直線で結んだ搬送ルートを移動するものとする。（２）また昇降動作（巻上げ動作および巻下げ動作）中に同時に走行（横行）動作を行ない搬送時間の短縮を図るものとする。（３）図６で示す被搬送物Ｓの下端高さ（リフマグ２０の下面から被搬送物の下端までの距離）Ｋは、予測値を採用するものとする。
【００３３】
搬送条件決定手段４９では、まず指定された搬送ルートを含んだ初期の搬送条件Ｄ１を決定する。次に、記憶部に記憶されているマップ情報を呼び出し、図６で示すように、搬送条件Ｄ１において、被搬送物Ｓの下端Ｓ0が、スクラップ堆積物Ｗと干渉するか否かをシミュレーションにて確認する。
【００３４】
ここで、初期の搬送条件Ｄ１にて干渉有りと判断された場合には、干渉を回避するために必要な昇降高さ（具体的には巻上げ高さ）を算出し、更にスクラップ堆積物Ｗと干渉する地点に到達する前に、必要な巻上け動作が完了する走行速度および横行速度を算出し、新たな搬送条件Ｄ２を決定する。
この搬送条件Ｄ２に従ってクレーン１０を移動させれば、図６で示すように被搬送物Ｓの下端Ｓ0がスクラップ堆積物Ｗと干渉するのを回避することができる。
また、この搬送条件Ｄ２は、従来の自動運転にて用いられていた搬送条件Ｄ３（図６参照）、すなわちスクラップ堆積物Ｗとの干渉を避けるため、まず巻上げ高さの上限まで巻上げ動作を行ない、その後にクレーン１０の走行（および横行）動作を行なう搬送条件、に比べて搬送時間を短縮することができる。
【００３５】
なお、上記の例では搬送ルートを変更することなく、走行速度および横行速度を変化させることでスクラップ堆積物Ｗとの干渉を避けた例であるが、平面視における搬送ルートを変更することで、スクラップ堆積物Ｗとの干渉を避ける搬送条件を選択することも可能である。また、複数の搬送条件を求めた後、それぞれの搬送時間を比較して最短の搬送時間となる搬送条件を選択決定することも可能である。
【００３６】
以上は、クレーン１０が被搬送物Ｓを巻上げる際の動作について述べたが、本例の搬送条件決定手段４９では、クレーン１０が被搬送物Ｓを巻下げる際の動作においても高さマップ情報を利用してその搬送条件が決定され、図７に示すように、搬送条件Ｄ２ではスクラップ堆積物Ｗとの干渉を回避しつつ、巻下げ動作中に同時に走行（横行）動作が実行される。このため従来の自動搬送にて用いられていた搬送条件Ｄ３に比べて搬送時間の短縮を図ることができる。
【００３７】
以上のように本実施形態のクレーン設備１では、例えば払い出し作業において、操作部５０から搬送開始位置（すなわち、対象スクラップを吸着する位置）を入力すれば、貯留ホッパＨに対象スクラップ搬送するための好適な搬送条件が搬送条件決定手段４９により決定されるため、自動運転下でも、スクラップ堆積物Ｗとの干渉を回避しつつ、短時間での搬送を実現することができる。
【００３８】
特に本例の搬送条件決定手段４９で決定した搬送条件Ｄ２は、図６に示すようにクレーンの走行（および横行）動作を、昇降動作（巻上げ動作および巻下げ動作）と同時に行うため、上述の搬送条件Ｄ３に比べて搬送時間を短縮することができる。
【００３９】
また本実施形態のクレーン設備１では、第１センサ３０を、横行方向に沿って、桁部１２に複数配置し、高さマップ情報作成手段４７において、クレーン走行時に取得される第１センサ３０からの出力に基づいて高さマップ情報を作成するように構成している。
第１センサ３０は、例えば建屋の構造物に取付固定することも可能であるが、その場合、測定位置Ｐの数と同数の第１センサ３０が必要となってしまう。これに対し本例では、第１センサ３０を天井クレーン１０の桁部１２に配置して、クレーン走行時に第１センサ３０も移動するように構成することで、走行方向にセンサの共通化が図られ、第１センサ３０の数を大幅に削減することができる。
【００４０】
また本実施形態のクレーン設備１では、上述の高さマップ情報作成手段４７および搬送条件決定手段４９を用いることで、スクラップの受入れ作業の自動化を図ることも可能である。例えば、図１で示すように、受入スペースＭに停車した車両５４の荷台５６からリフマグ２０で直接スクラップを吸着して搬送するのであれば、受入スペースＭに停車した車両５４の荷台５６の形状を認識するためのセンサ５８を設け、制御部４６に対して撮像画像を出力するように構成する。センサ５８としては、例えばＣＣＤ、ＣＭＯＳ等の撮像素子で構成された画像センサを用いることができる。
このようにすることで、車両５４の荷台５６の平面視の位置を特定することができる。
【００４１】
また、荷台５６に積載されたスクラップの高さは、天井クレーン１０に取り付けられた第１センサ３０により求めることができる。これらの情報に基づき吸着開始点、すなわち搬送開始位置の位置情報が決定される。続いて搬送終了位置の情報を入力すれば、上記払い出し作業の場合と同じ手順で、自動運転に必要な搬送条件を決定することができる。
【００４２】
図８は、本発明の他の実施形態を示した図である。
本例の天井クレーン１０Ｂでは、主桁２２より下向きに延出させた取付部材６０の下側端部に、被搬送物Ｓの下端高さＫを検出する第２センサ６２を設けている。搬送中にスクラップ堆積物と干渉するのは、主に被搬送物Ｓの下端Ｓ0部分である。本例によれば、実際の被搬送物Ｓの下端高さＫを検出することで、搬送条件決定手段４９で決定される搬送条件の信頼性を高めることができる。
【００４３】
また第２センサ６２の代わりに、被搬送物Ｓの荷姿を検出する第３センサ６４を設けることも可能である。被搬送物Ｓの下端Ｓ0部分だけでなく、被搬送物Ｓの側面部分での干渉も懸念される場合に有効である。
【００４４】
図９は、本発明の更に他の実施形態を示した図である。
本例の天井クレーン１０Ｃでは、主桁２２の外側面から走行方向外側に延出させた取付部材６５の端部に、第１センサ３０を設けている。
高さマップ情報に基づいて搬送条件を決定することを特徴とする本発明では、スクラップヤードＹ内の堆積物の高さが突発的に変化した場合に、そのまま走行を継続すると被搬送物Ｓが堆積物と干渉する虞がある。このような場合を考慮すれば、本例のように第１センサ３０を、干渉が生じる被搬送物Ｓから所定距離離間させておくことが有効である。
改めて第１センサ３０により得られた高さ情報が、搬送条件の前提としたマップ情報と異なっている場合に、クレーン１０Ｃの走行を停止させたり、搬送条件の変更等を行うことで堆積物との干渉を回避できるからである。
【００４５】
以上本発明の実施形態を詳述したがこれらはあくまでも一例示である。例えば上記実施形態では、第１センサ３０を、天井クレーンの桁部に取り付けたが、建屋の構造物に取り付けることも可能である。また上記実施形態では、スクラップを吊り上げるための吊り具としてリフマグを用いているが、リフマグに代えてグラブバケット等を用いることも可能である。また上記実施形態は、天井クレーンを用いた例であったが、特開平９−２５０８５号公報等に開示されているような門形移動クレーンに適用することも可能である等、本発明は、その趣旨を逸脱しない範囲において様々変更を加えた形態で実施可能である。
【符号の説明】
【００４６】
１  クレーン設備
１０，１０Ｂ，１０Ｃ  天井クレーン
１２  桁部
１４  トロリ
１８  フック
３０  第１センサ
４６  制御部
４７  高さマップ情報作成手段
４９  搬送条件決定手段
６２  第２センサ
６４  第３センサ
Ｐ  測定位置
Ｓ  被搬送物
Ｙ  スクラップヤード
【図１】
2019210093.tif 000003
【図２】
2019210093.tif 000004
【図３】
2019210093.tif 000005
【図４】
2019210093.tif 000006
【図５】
2019210093.tif 000007
【図６】
2019210093.tif 000008
【図７】
2019210093.tif 000009
【図８】
2019210093.tif 000010
【図９】
2019210093.tif 000011